(57)【要約】【課題】ホールドスイッチを機器本体外側に配置することなく簡単な構造により操作部の誤動作を防止し、視認なしに直接的に操作できる携帯用電子機器を提供する。【解決手段】使用者が携帯可能な携帯用電子機器において、この携帯用電子機器の本体１０を柱状に長く延在させて形成し、この延在する本体１０の中心に使用者の指一本のみを挿入できる一端面から他端面まで筒状に貫通する貫通孔または他端側に貫通せず有低な凹状孔いずれかを開口した空洞部１１を有し、この空洞部１１の内壁面１１ａに配置されて外部から指一本を挿入して指先で操作可能な操作部１４を設ける。【選択図】      図１
2008293827.tif 000002
【特許請求の範囲】
【請求項１】
使用者が携帯可能な携帯用電子機器において、
前記携帯用電子機器の本体を柱状に長く延在させて形成し、この延在する本体の中心に使用者の指一本のみを挿入できる一端面から他端面まで筒状に貫通する貫通孔または他端側に貫通せず有低な凹状孔いずれかを開口した空洞部を有し、この空洞部の内面に配置されて外部から前記指一本を挿入して指先で操作可能な操作部を設けたことを特徴とする携帯用電子機器。
【請求項２】
請求項１に記載の携帯用電子機器において、
前記操作部は、前記空洞部の内壁面に、前記空洞部の開口部から奥側に向かって複数の操作キーを配列させることを特徴とする携帯用電子機器。
【請求項３】
請求項２に記載の携帯用電子機器において、
前記空洞部は、前記内壁面における前記空洞部の開口部から奥側に向かって平坦に形成される平坦面を有するとともに前記平坦部には前記操作キーが複数配列されることを特徴とする携帯用電子機器。
【請求項４】
請求項２に記載の携帯用電子機器において、
前記空洞部には、前記操作キーを複数配列させる一部内壁面が鋸歯状の凹凸面に形成されて、前記指を挿入して凸部を越えた各凹部までの傾斜面に前記操作キーを各々配置したことを特徴とする携帯用電子機器。
【請求項５】
請求項１乃至４いずれかに記載の携帯用電子機器において、
前記本体には、前記操作キーを配置した外側の周壁に、前記操作キーと対向するように表示部を設けたことを特徴とする携帯用電子機器。
【請求項６】
請求項１に記載の携帯用電子機器において、
前記操作部は、前記空洞部が前記凹状孔であり、この凹状孔内の貫通しない有低面に配置されて前記指先を挿入して操作するように設けたことを特徴とする携帯用電子機器。
【請求項７】
請求項６に記載の携帯用電子機器において、
前記操作部は、前記挿入した指先で回転動作を与えることにより操作することを特徴とする携帯用電子機器。
【発明の詳細な説明】
【技術分野】
【０００１】
本発明は、携帯用電子機器に係り、より詳細には、外力による誤動作を防止する携帯音楽プレーヤーなどの携帯用電子機器に関する。
【背景技術】
【０００２】
近年、携帯用電子機器は、例えば、ポータブルプレーヤー（携帯音楽プレーヤー）またはＩＣレコーダ或いは情報端末装置などのように小型、軽量化が進み、使用者がポケットや鞄に入れて気軽に常時携帯できるようになっている。このような従来の携帯用電子機器は、例えば、使用者が本体表面の操作部を直接に操作しないとき（ポケットや鞄に収納しているとき）、外乱（外力）によって操作部が押されて誤動作することを防止するために誤操作防止用の手段（ホールドスイッチ等）を備えていることが一般的である（例えば、特許文献１参照。）。
【特許文献１】特開２００２−１８２６９２号公報  このような誤操作防止用手段を備えた従来の携帯用電子機器の一実施形態を、図４にて説明する。図４は、従来の携帯用電子機器の一実施形態を示す外観図であり、図４（ａ）は正面図を、図４（ｂ）は側面図を各々示している。
【０００３】
図４に示すように、従来の携帯用電子機器の一実施形態は、携帯音楽プレーヤーにホールドスイッチを備えた構造であって、その外形が縦長の略直方体の筐体（機器本体）である本体４０を有し、この本体４０は、図４（ｂ）に示すように、内部構造物を正面側から覆う正面本体４０ａと、背面側から覆う背面本体４０ｂとを備えてお互い嵌合することで一体に形成されている。
また、正面本体４０ａには、図４（ａ）に示したようにＰＯＷＥＲ（電源）キー、ＰＬＡＹキー、ＳＴＯＰキー、選択キー、音量キーなどの複数のキーを有した操作部４４を露出させて設けており、その上方には液晶表示モジュールである表示部４２が配設されている。
更に、本体４０には、図４（ｂ）に示した背面本体４０ｂの側面で矢印Ａ方向（ＯＮ側）−Ｂ方向（ＯＦＦ側）にスライド自在に露出させたホールドスイッチ４５を備えている。このホールドスイッチ４５は、矢印Ａ方向−Ｂ方向のいずれかの一端にスライドさせ、ソフト処理により操作部４４の全ての各種キー操作を有効／無効に切換える仕組み（機能）を有している。
【０００４】
このような従来の携帯用電子機器の一実施形態を使用する場合、図４（ｂ）に示したように、ホールドスイッチ４５が矢印Ａ方向−Ｂ方向に摺動自在であり、例えば、Ａ方向に移動させると操作部４４のキー押下による動作を無効にするホールドモードになり、Ｂ方向に移動させるとホールドモードを解除して操作部４４の動作を有効にするように機能させる。
これにより、従来の携帯用電子機器では、例えば、「機器の操作部であるＰＯＷＥＲキー（電源）をＯＦＦにして鞄の中に入れておいたら、鞄の中で何かにぶつかってＰＯＷＥＲキーが押され、勝手にＰＯＷＥＲがＯＮして動作していて電池がなくなっていた」、又は、「音楽再生中にポケットに入れておいたら、ポケットの中で操作部４４のキーが押されてボリュームが変わったりポーズしたりした」といった誤動作を、前述したホールドスイッチ４５により操作部４４のキー機能（動作）を有効／無効に切換えることで防いでいた。
【発明の開示】
【発明が解決しようとする課題】
【０００５】
しかしながら、従来の携帯用電子機器は、図４（ｂ）に示したように、本体４０の外部側面に露出させてホールドスイッチ４５を配置しているため、外力によりスライドしてＯＮ／ＯＦＦしてしまう可能性があるとともに、この側面でホールドスイッチ４５が矢印Ａ方向またはＢ方向のどちらにスライドしているのか視認する必要もあり、視認せず簡単に操作することが困難であった。
また、従来の携帯用電子機器は、図４に示したように、ホールドスイッチ４５をＯＮしたときの状態が明示的でないため、例えば、ホールド（ＯＮ）中には操作部４４のキーが効かないが（キー操作が無効であるが）、ホールド中であることを忘れていた場合、その旨の警告表示などがないと一瞬フリーズ（停止）していると勘違いする、あるいは、操作したいときには一旦ホールドを解除するという操作が必要となり操作上不便である、という不具合があった。
【０００６】
本発明は上記の点に鑑みなされたもので、その目的は、ホールドスイッチを機器本体外側に配置することなく簡単な構造により、操作部の誤動作を防止し、視認なしに直接的に操作できる携帯用電子機器を提供することにある。
【０００７】
本発明は上述した課題を解決するために、使用者が携帯可能な携帯用電子機器において、携帯用電子機器の本体を柱状に長く延在させて形成し、この延在する本体の中心に使用者の指一本のみを挿入できる一端面から他端面まで筒状に貫通する貫通孔または他端側に貫通せず有低な凹状孔いずれかを開口した空洞部を有し、この空洞部の内面に配置されて外部から指一本を挿入して指先で操作可能な操作部を設ける。
【０００８】
ここで、操作部は、空洞部の内壁面に空洞部の開口部から奥側に向かって複数の操作キーを配列させることが好ましい。また、空洞部は、内壁面における空洞部の開口部から奥側に向かって平坦に形成される平坦面を有するとともに平坦部には操作キーが複数配列されることが好ましい。また、空洞部の他の実施例は、操作キーを複数配列させる一部内壁面が鋸歯状の凹凸面に形成されて、指を挿入して凸部を越えた各凹部までの傾斜面に操作キーを各々配置することが好ましい。また、本体には、操作キーを配置した外側の周壁に、操作キーと対向するように表示部を設けることが好ましい。
さらに、操作部の他の実施例は、空洞部が凹状孔であり、この凹状孔内の貫通しない有低面に配置されて指先を挿入して押し付けて操作するように設けることが好ましい。また、操作部は、挿入した指先で回転動作を与えることにより操作することが好ましい。
【発明の効果】
【０００９】
以上、本発明による携帯用電子機器によれば、空洞部（貫通孔または凹状孔）内面に操作部を配置させ、この空洞部内に挿入した指先のみで操作可能な操作部であるため、外乱（外力）による操作部の誤動作を確実に防止でき、且つ、ズボンのポケットや鞄などの内部で視認不要で簡単に操作できる。
また、本発明による携帯用電子機器によれば、従来のホールドスイッチ自体が不要になりホールド（ＯＮ）中などの設定も不要なので、使用者がホールド中であることを忘れて一瞬フリーズ（停止）しているとの勘違が全く無くなるとともに、使用者が指先を空洞部内に挿入して操作したいときに直接操作部を操作できるため、ホールドスイッチのような前もって解除などの操作が不要になり自由に操作でき操作上便利になる。
【発明を実施するための最良の形態】
【００１０】
次に、添付図面を参照して本発明による携帯用電子機器の実施の形態を詳細に説明する。図１は、本発明による携帯用電子機器の第１の実施形態を示す外観斜視図であり、図１（ａ）は正面を、図１（ｂ）は裏面を各々示している。また、図２は、本発明による携帯用電子機器の第２の実施形態を示す断面図である。また、図３は、本発明による携帯用電子機器の第３の実施形態を示す断面図である。
【実施例１】
【００１１】
本発明による携帯用電子機器の第１の実施形態は、図１（ａ）に示すように携帯音楽プレーヤーの本体１０を円柱状に長く延在させて形成し、この本体１０の延在するほぼ中心に使用者の指一本のみを挿入できる一端面から他端面まで筒状に貫通する貫通孔を開口した空洞部１１を有し、図１（ｂ）に示すように空洞部１１の内壁面１１ａに配置されて外部から指一本を挿入して指先で視認せず操作可能な誤動作を防止するユーザーインターフェイス用の操作部１４を設けている。即ち、第１の実施形態は、図４に示した従来技術のように操作部を本体の表面に配置するのではなく、図１に示した本体１０のほぼ中心に開口した空洞部１１を有して、この空洞部１１内に操作部１４を配置することで、外乱（外力）により操作部１４の操作キーが押下されて誤動作することを防止する誤操作防止手段としたものである。
【００１２】
ここで、本体１０は、円柱状に長く延在させて形成した実施例を説明したが、これに限定されるものではなく、例えば、楕円柱、三角柱、四角柱、多角柱などの形状により、柱状に長く延在させて形成しても良い。また、本体１０には、図１（ａ）に示したように、円柱状に長く延在する外周面に、例えば、アーティスト別、アルバム別、ソング（曲）別などの表示や、再生、停止などの動作状態の表示が可能な液晶表示モジュールなどからなる表示部１２を有している。例えば、この表示部１２には動作状態に加えて、楽曲のジャケット写真などの画像１２ａなども表示される。
【００１３】
また、本体１０には、円柱状のほぼ中心に空洞部１１を開口して筒状になるように設けており、この空洞部１１を図１（ｂ）に示したように一端面から他端面まで貫通する貫通孔、或いは、他端側に貫通せず有低な底面を有した凹状孔（図２及び図３参照）いずれの孔を開口している。ここで、空洞部１１は、図１（ｂ）に示した操作部１４を使用者が指を挿入して操作できるように、例えば、２５〜３０ｍｍの直径に開口することが好ましい。そして、本体１０は、図１（ａ）に示した表示部１２やその基板（図示せず）などの電子部品を配置（例えば、ポータブル機器のクリップ型リモコンの表示部のように配置）できるように、空洞部１１の外側に十分な厚みの配置スペースを確保するように形成されている。
【００１４】
また、空洞部１１は、例えば、内壁面が円形や楕円形に開口した曲面、或いは多角形に開口した多面である場合、操作部１４を配置することが困難であり、この操作部１４を配置する内壁面の一部に平坦面を形成することが好ましい。具体的に空洞部１１は、図１（ｂ）に示したように、円柱状の本体１０である場合、円形の貫通孔または凹状孔いずれかの空洞部１１を開口するが、この内面（内壁面１１ａ）に操作部１４を配置するため、その開口した円形内壁の一部が平坦になるように形成している。即ち、空洞部１１には、図１（ｂ）に示したように、操作部１４を複数配列させる一部内壁面１１ａが、一端側から他端側まで平坦になるように形成された平坦面１１ｂを有している。この平坦面１１ｂは、図１（ａ）に示した表示部１２を配置する表示面と平行して対向するように裏側の空洞部１１内に形成され、表示部１２及び操作部１４がお互いに本体１０の外側面と開口した内側面１１ａとで各々対向するように配置されている。これにより本体１０内では、例えば、表示部１２と操作部１４との基板（図示せず）を共有することも可能に形成されている。また、平坦面１１ｂは、空洞部１１の内壁面１１ａの曲面（または多面）を一部平坦に埋めるように突出させて形成しているため、図１（ｂ）に示したように円筒状の本体１０の一部の厚みｄを厚く形成でき、表示部１２と操作部１４との配置スペースを十分に確保できるという利点もある。
また、本体１０は、図１（ｂ）に示した裏面が操作部１４を覆って目隠しするように形成した実施例を説明したが、例えば、この裏面の一部または本体全体を透過性素材（スケルトン：透明樹脂材）により形成して、操作部１４の操作キー全てが見えるようにしてもよい。さらに、本体１０は、図１（ｂ）に示した裏面に内部の空洞部１１まで開口した開口部（図示せず）を形成し、この開口部にシャッター開閉機構（図示せず）をもたせることで、シャッターの開け閉めで操作部１４が視認できるように形成してもよい。
【００１５】
また、操作部１４は、図１（ｂ）に示したように、空洞部１１の開口する内壁面１１ａに一端側から他端側に向かって一列に複数配列させることで、当該配列順により視認せず操作可能な操作キー（押しボタン）を配置している。即ち、操作部１４は、使用者が空洞部１１内に指一本を挿入し、その挿入した方向に配列する操作キーの配列順によって、例えば、再生、停止、早送り、巻き戻し、リスト上の曲の選択やスキップアップダウン、曲内のサーチ、ボリュームアップダウンなどの各操作キーの位置を、視認せずに把握できるように形成されている。尚、操作キーを複数配列させた操作部１４の実施例を説明したが、これに限定されず、例えば、操作キーの他に、回転させて操作する回転式エンコーダ（角度センサ）、倒して操作するレバースイッチ、または各方向に押して操作する十字レバーのいずれか、或いは組み合わせて配置することも可能である。ここで、図１（ｂ）に示した操作部１４の各操作キーは、左からそれぞれ、早送り、早戻し、再生／一時停止、音量ＵＰ／ＤＯＷＮキーを各々配置しており、これらの機能を明示したアイコン（図１（ｂ）の三角や四角などのマーク）を凹凸状に浮き彫りを付している。従って、この浮き彫りによっても、使用者が挿入した指先の感覚で操作キーを判別することができる。
【００１６】
このように形成された本発明による携帯用電子機器の第１の実施形態は、図１（ａ）に示したように、本体１０のジャック部（図示せず）にイヤホーンなどの端子を差し込んで使用者が音楽を聴く場合、図４に示した従来技術と同様に、この本体１０を使用者の衣服のポケットや鞄などに収納した状態で音楽を聴くことが一般的である。そして、このような状態で操作部１４を操作して音楽を再生する場合は、まず、ポケットや鞄などに使用者が手を入れて収納された本体１０を把持し、この本体１０の空洞部１１に指一本を挿入して指先で所望の操作キーを選択して押すことで操作する。この際、操作部１４は、図１（ｂ）に示したように、複数の操作キーを左から早送り、早戻し、再生／一時停止、音量ＵＰ／ＤＯＷＮの順番に配列させており、この配列順により操作キーを判別するか、或いは操作キーの浮き彫りによって判別し、聴きたい曲をポケットや鞄の中で操作部１４を視認することなく簡単に操作して聴くことができる。
【００１７】
このように、本発明による携帯用電子機器の第１の実施形態によると、図１（ａ）及び（ｂ）に示したように、空洞部１１内に操作部１４を有した誤操作防止手段であり、この空洞部１１内に挿入した指先のみで操作可能な操作部１４であるため、外乱（外力）による操作部１４の誤動作を確実に防止でき、且つ、ズボンのポケットや鞄などの内部で視認不要で簡単に操作できる。
また、本発明による携帯用電子機器の第１の実施形態によると、図４に示した従来技術のようにホールドスイッチ自体が不要になりホールド（ＯＮ）中などの設定も不要なので、使用者がホールド中であることを忘れて一瞬フリーズ（停止）しているとの勘違が全く無くなるとともに、図１（ｂ）に示した空洞部１１内に使用者の指先を挿入して操作したいときに直接操作部１４を操作できるため、前述した従来技術のホールドスイッチのような前もって解除などの操作が不要になり自由に操作でき操作上便利になる。
【実施例２】
【００１８】
次に、図２を参照して、本発明による携帯用電子機器の第２の実施形態を詳細に説明する。本発明による携帯用電子機器の第２の実施形態は、図１に示した第１の実施形態のように空洞部の内壁面に平坦な平坦面を形成して操作部を配置させるのではなく、図２に示すように、空洞部２１の内壁面２１ａに鋸歯状の凹凸面２１ｂを形成して使用者の指Ｃを挿入する奥方向側の傾斜面Ｅに操作部１４を斜めに配置することで、指Ｃを挿入したときに誤って押さないように形成したものである。ここで、図２に示した本体２０の空洞部２１に鋸歯状の凹凸面２１ｂを形成した以外は、全て、図１に示した第１の実施形態と同じ構成要素であり、同一の構成要素には同じ符号を記載する。
【００１９】
図２に示したように、第２の実施形態は、第１実施形態と同様に、円柱状の本体２０のほぼ中心に空洞部２１を形成し、この空洞部２１の内壁面２１ａに複数配列する操作部１４を配置することで、使用者が空洞部２１に指Ｃを挿入して視認せずに操作できるように形成されている。この本体２０の外側面には、図示していないが、図１（ａ）に示したような表示部が配置されている。また、空洞部２１は、第１実施形態と同様に、使用者が指Ｃを挿入して操作部１４を操作できるように、例えば、２５〜３０ｍｍの直径に開口している。この空洞部２１は、図２では円柱状の本体２０の中心よりやや片側（左側）にずらした位置に開口することで、第１実施形態のように操作部１４と表示部（図示せず）とを対向させて配置できるように、筒状の本体２０の外周の厚みを均一にせず、この本体２０の一部外周（操作部１４側）の図２に示した厚みｄを厚く形成して配置スペースを十分に確保している。
【００２０】
ここで、第２実施形態は、第１実施形態と異なり、本体２０の延在するほぼ中心に開口した使用者の指Ｃを一本のみ挿入できる空洞部２１が、一端面から他端面まで筒状に貫通せず他端側で有低な底面２１ｃを備えた凹状孔に開口されている。即ち、この凹状孔による空洞部２１は、常に使用者の指Ｃを同じ方向からのみ挿入させるため、第１実施形態のような貫通孔により両方から挿入することで操作部１４の配列順番を間違えて押下することを防止できるように形成している。そして、空洞部２１には、第１実施形態の平坦面とは異なり、操作部１４の操作キーを複数配列させる一部内壁面２１ａが鋸歯状の凹部２１ｂａ及び凸部２１ｂｂからなる凹凸面２１ｂに形成されており、使用者の指Ｃを挿入して凸部２１ｂｂを越えた凹部２１ｂａまでの傾斜面Ｅに操作部１４の操作キーを各々複数配置されている。この際、本体２０には、前述した空洞部２１を本体２０の中心からずらした位置に開口して外周壁の凹凸面２１ｂ側の厚みｄを厚く形成して配置スペースを確保しているため、操作部１４の操作キーを余裕をもって配置することができる。
【００２１】
このように、本発明による携帯用電子機器の第２の実施形態によると、本体２０の空洞部２１に指Ｃを挿入して操作部１４を視認せずに操作できることから、第１の実施形態と同様の効果を得ることができるとともに、空洞部２１に凹部２１ｂａ及び凸部２１ｂｂからなる凹凸面２１ｂを形成して操作部１４を配置しているため、使用者の指Ｃを空洞部２１に挿入したときに誤って操作キーを押して誤動作させることを確実に防止できる。また、操作部１４を凹凸面２１ｂに配置することで、操作部１４の操作キーに第１の実施形態のような浮き彫りを施さなくても、凸部２１ｂｂにより操作キーの配列順を視認せずに明確に認識することが可能になる。
【実施例３】
【００２２】
次に、図３を参照して、本発明による携帯用電子機器の第３の実施形態を詳細に説明する。本発明による携帯用電子機器の第３の実施形態は、第１実施形態や第２実施形態のように空洞部内の指を挿入する方向に操作キーを複数配列させた操作部１４を設けるのではなく、凹状孔による空洞部内の有低な底面に操作部を配置して指の先で操作可能にしたものである。
【００２３】
図３に示したように、第３の実施形態は、第２の実施形態と同様に、円柱状の本体３０のほぼ中心に空洞部３１を形成し、この空洞部３１内に操作部１６を配置することで、使用者が空洞部３１に指Ｃを挿入して操作部１６を視認せずに操作できるように形成している。また、本体３０の外側面には、図示していないが、図１（ａ）に示した表示部が配置されている。また、本体３０には、円柱状に延在するほぼ中心に開口して使用者の指一本のみを挿入できる空洞部３１が、一端面から他端面まで筒状に貫通せず他端側が有低な底面３１ｃを備えた凹状孔に開口されている。また、空洞部３１は、好ましくは２５〜３０ｍｍの直径に開口し、第２実施形態と同様に、円柱状の本体３０の中心よりやや片側（左側）にずらして開口し、表示部（図示せず）を配置する図３に示した本体３０の片側の厚みｄを広くして配置スペースを十分に確保している。
【００２４】
ここで、第３の実施形態は、第１実施形態や第２実施形態とは異なり、操作部１６が、空洞部３１内の内壁面３１ａに指Ｃを挿入する方向に操作キーを複数配列させた構造でなく、図３に示したように凹状孔内の貫通しない有低の底面３１ｃのみに配置され、指Ｃの先を挿入して押し付けて操作できるように設けられている。この操作部１６は、本体３０の円筒奥の底面３１ｃで回転する回転式のエンコーダ（角度センサ）からなり、指Ｃを内部奥まで挿入してエンコーダジョグスイッチに押し付けて回転させることで、エンコーダが回転してその角度が検出されて所望の動作が実行されるように形成されている。従って、操作部１６は、回転操作によって、例えば、リスト上の曲の選択やスキップアップダウン、曲内のサーチ、ボリュームアップダウンなどの動作を実行できる。また、操作部１６は、回転させて操作する回転式エンコーダに限定されるものではなく、例えば、倒して操作するレバースイッチ、または各方向に押して操作する十字レバーなどの操作部でも同じ効果を得ることができる。
また、操作部１６には、エンコーダの回転時にクリック感を持たせて、より効果的に操作感を向上させるため、図３に示したように、エンコーダを回転させやすいように指Ｃの接点を窪ませたり、接点と指が滑らないように接点に吸着性の強い素材、或いは滑り止め加工を施したパッド１８を貼着している。
【００２５】
このように形成された本発明による携帯用電子機器の第３の実施形態は、第１実施形態や第２実施形態のように、ポケットや鞄に収納された状態で使用者が手を入れて本体３０を把持して空洞部３１に指Ｃを一本挿入することで、操作部１６を視認せずに操作して所望の曲を選曲して聴くことができる。この際、本体３０の空洞部３１では、図３に示したように、使用者の指Ｃを、凹状孔の底面３１ｃに向けて挿入して操作部１６のパッド１８に当接させて押し付けることで滑らないようにエンコーダを回転させる。これにより操作部１６は、回転した角度を検出して、前述したリスト上の曲の選択やスキップアップダウン、曲内のサーチ、ボリュームアップダウンなどの動作を実行する。
【００２６】
このように本発明による携帯用電子機器の第３の実施形態によると、ポケットや鞄の中で本体３０の空洞部３１に指Ｃを挿入して操作部１６を視認せずに操作できることから、第１の実施形態と同様の効果を得ることができるとともに、本体３０の底面３１ｃの１ヶ所に操作部１６を配置して回転させるだけで操作できるため、第１実施形態や第２実施形態のように操作部の複数配列した操作キーの配列順を確認する必要がなく、より効果的に操作性を向上することができる。
【００２７】
以上、本発明による携帯用電子機器の実施の形態を詳細に説明したが、本発明は前述した実施の形態に限定されるものではなく、その要旨を逸脱しない範囲で変更可能である。
例えば、携帯音楽プレーヤー（ポータブルプレーヤー）に採用した実施の形態を詳細に説明したが、これに限定されるものではなく、例えば、ＩＣレコーダまたは情報端末装置などにも採用することができる。
【図面の簡単な説明】
【００２８】
【図１】本発明による携帯用電子機器の第１の実施形態を示す外観斜視図。（実施例１）
【図２】本発明による携帯用電子機器の第２の実施形態を示す断面図。（実施例２）
【図３】本発明による携帯用電子機器の第３の実施形態を示す断面図。（実施例３）
【図４】従来の携帯用電子機器の一実施形態を示す外観図。
【符号の説明】
【００２９】
１０    本体
１１    空洞部
１１ａ  内壁面
１１ｂ  平坦面
１２    表示部
１２ａ  画像
１４    操作部
【図１】
2008293827.tif 000003
【図２】
2008293827.tif 000004
【図３】
2008293827.tif 000005
【図４】
2008293827.tif 000006